(57)【要約】【課題】  ユーザによる事前の情報入力なしに、ユーザの状況に適した情報を提供可能な情報提供装置および情報提供方法を提供する。【解決手段】  上記課題を解決するために、本発明は、情報提供装置の周辺の物品に関する物品情報を取得し、取得した前記物品情報を用いて、前記情報提供装置のユーザに提供する情報を決定することを特徴とする。【選択図】  図３
2007188193.tif 000002
【特許請求の範囲】
【請求項１】
情報を提供する情報提供装置であって、
前記情報提供装置の周辺の物品に関する物品情報を取得する情報取得手段と、
前記情報取得手段により取得された物品情報を用いて、前記情報提供装置のユーザに提供する情報を決定する情報決定手段と、
を備えていることを特徴とする情報提供装置。
【請求項２】
情報を提供する情報提供装置であって、
前記情報提供装置の周辺の物品に関する物品情報を取得する情報取得手段と、
前記情報取得手段により物品情報を取得された物品の中から前記情報提供装置のユーザの所有物を判定する判定手段と、
前記判定手段により前記ユーザの所有物と判定された物品に関する物品情報を用いて、前記情報提供装置のユーザに提供する情報を決定する情報決定手段と、
を備えていることを特徴とする情報提供装置。
【請求項３】
請求項１または請求項２に記載の情報取得手段は、前記物品に付けられたタグから物品情報を取得することを特徴とする情報提供装置。
【請求項４】
請求項３に記載の物品情報は、前記タグの位置に関する情報を含んでいることを特徴とする情報提供装置。
【請求項５】
請求項３または請求項４に記載のタグは無線ＩＣタグであり、前記情報取得手段は無線ＩＣタグ読取部であることを特徴とする情報提供装置。
【請求項６】
請求項１ないし５のいずれかに記載の情報取得手段は、複数回繰り返して物品情報の取得を行うことを特徴とする情報提供装置。
【請求項７】
請求項２に記載の情報取得手段は前記物品に付けられた無線ＩＣタグとの通信により物品情報を取得し、前記判定手段は前記情報取得手段と前記無線ＩＣタグとの間の通信状態を示す情報を用いて前記ユーザの所有物を判定することを特徴とする情報提供装置。
【請求項８】
請求項１ないし７のいずれかに記載の情報提供装置は、外部の通信装置と通信を行うことが可能な通信手段を備え、
前記情報取得手段は、前記通信部の通信状態が変化したときに前記物品情報の取得を行うことを特徴とする情報提供装置。
【請求項９】
情報を提供する情報提供装置であって、
前記情報提供装置の周辺の物品に関する物品情報が入力される入力手段と、
前記入力手段により入力された物品情報を用いて、前記情報提供装置のユーザに提供する情報を決定する情報決定手段と、
を備えていることを特徴とする情報提供装置。
【請求項１０】
請求項９に記載の入力手段は、無線ＩＣタグ読取装置から出力された情報を入力可能であることを特徴とする情報提供装置。
【請求項１１】
情報を提供する情報提供方法であって、
情報提供装置の周辺の物品に関する物品情報を取得し、
取得した前記物品情報を用いて、前記情報提供装置のユーザに提供する情報を決定することを特徴とする情報提供方法。
【請求項１２】
情報を提供する情報提供装置であって、
物品に関する物品情報を取得する情報取得手段と、
前記情報取得手段により取得された物品情報を用いて、前記情報提供装置のユーザに提供する情報を決定する情報決定手段と、
を備えていることを特徴とする情報提供装置。
【発明の詳細な説明】
【技術分野】
【０００１】
本発明は、情報提供装置及び情報提供方法に関するものである。
【背景技術】
【０００２】
特許文献１に、移動する車内において、走行位置や走行速度、搭乗者の気分などに応じた音楽データを車内から取得し、再生する音楽配信方法が提案されている。
【０００３】
【特許文献１】特開２００１−１８９９６９号公報
【発明の開示】
【発明が解決しようとする課題】
【０００４】
従来の方法では、ユーザがスケジュール等の情報を事前に入力する必要があり、これらの情報が入力されていない場合には、ユーザの状況に適した音楽を決定することはできなかった。そこで、本発明は、ユーザによる事前の情報入力なしに、ユーザの状況に適した情報を提供可能な情報提供装置および情報提供方法を提供することを目的とする。
【課題を解決するための手段】
【０００５】
上記課題を解決するために、情報提供装置の周辺の物品に関する物品情報を取得し、取得した前記物品情報を用いて、前記情報提供装置のユーザに提供する情報を決定することを特徴とする。
【発明の効果】
【０００６】
本発明によれば、ユーザによる事前の情報入力なしに、ユーザの状況に適した情報を提供可能な情報提供装置および情報提供方法を提供することができる。
【発明を実施するための最良の形態】
【０００７】
図１は、情報提供システムの構成の一例を示す図である。図１の例では、ユーザに提供する情報が音楽である場合について説明するが、提供する情報は音楽に限定されず、動画やアプリケーションプログラムでもよい。この場合、本システムに用いられる提供装置は音楽提供装置に限られず、情報を提供可能な情報提供装置であれば良い。
【０００８】
音楽提供装置１００は、有線または無線によりインターネット等のネットワークと接続している。また、所有物判定サーバ２００、音楽決定サーバ３００、音楽コンテンツサーバ４００、製品情報サーバ５００がインターネット等のネットワークに接続されており、音楽提供装置１００と通信を行うことができるようになっている。所有物判定サーバ２００は、音楽提供装置１００からの要求に応じて音楽提供装置１００への所有物判定ルールや所有物情報の送信を行う。音楽決定サーバ３００は、音楽提供装置１００からの要求に応じて音楽決定ルールや提供する音楽を識別する情報を音楽提供装置１００に送信する。音楽コンテンツサーバ４００は、音楽提供装置１００からの要求に応じて音楽を音楽提供装置１００に送信する。製品情報サーバ５００は、音楽提供装置１００からの要求に応じて音楽提供装置１００から指定された製品に関する情報を音楽提供装置１００に送信する。なお、所有物判定ルールや所有物情報、音楽決定ルールについては後述する。
【０００９】
なお、図１の例では、各サーバを別々に設けているが、これに限定するものではなく、これらの全てあるいは一部を１つのサーバにより実現しても良い。
【００１０】
図２は、音楽提供装置の構成の一例を示すブロック図である。音楽提供装置は、例えば、音楽再生機能を備えた携帯電話などの携帯式の音楽再生端末や、部屋や車に設置する音楽再生端末である。
【００１１】
無線ＩＣタグ情報読取部１０１は、ＲＦＩＤ（Radio Frequency Identification）タグ等の無線ＩＣタグに書かれた情報を読み取り、無線ＩＣタグ情報として情報格納部１０６に保持する。無線ＩＣタグ情報読込部１０１と無線ＩＣタグとの最大通信距離は、例えば数十ｃｍから数ｍとする。ここで、無線ＩＣタグ情報は、物を識別するための物識別情報や物のどの位置に無線ＩＣタグが付いているかを示す無線ＩＣタグ位置情報を含むものとする。物識別情報は物の種類を特定するだけでなく色や大きさ等の属性情報を含む。無線ＩＣタグ位置情報は規格等により物のどの位置に無線ＩＣタグが付いているかがあらかじめ決まっている場合は省略することが可能である。また、無線ＩＣタグ情報読取部１０１は無線ＩＣタグ情報だけでなく、読み取りの際に行った通信の状態を表す通信状態情報も無線ＩＣタグ情報とともに情報格納部１０６に保持する。通信状態情報としては、無線ＩＣタグからの受信電波強度や受信信号雑音比、受信データのエラー率などが用いられる。
【００１２】
所有物判定部１０２は、無線ＩＣタグ情報や通信状態情報などから、ユーザが今着ている服や持ち歩いている荷物の一覧を表す所有物情報を作成する処理を行う。なお、所有物情報に含まれる所有物の中で、身に着けているものか否かを判定し、その情報も所有物情報に含めるようにしても良い。
【００１３】
提供音楽決定部１０３は、所有物情報を用いて、提供する音楽を決定する処理を行う。決定処理は、ユーザから音楽提供要求が入力されてから行っても良いし、音楽提供要求前にあらかじめ提供する音楽を決定する処理を行っても良い。
【００１４】
ユーザからの要求がある前に処理を行う方法としては、以下のような方法がある。例えば、ユーザが音楽提供装置１００の携帯を開始した際に、無線ＩＣ情報読取部１０１がユーザの身につけている物についている無線ＩＣタグを読み取り、音楽提供要求前にあらかじめ提供する音楽を決定する処理を行う。また、あらかじめ指定された曜日・時刻に提供音楽決定処理を行うようにしてもよい。例えば、通勤や通学のために家を出発する時間を設定しておき、通勤等の途中に提供する音楽を決定するようにする。あるいは、音楽提供装置１００の電源が投入されてから所定時間後に提供音楽決定処理を行うようにしてもよいし、一定時間おきに繰り返し提供音楽決定処理を行うようにしてもよい。また、ユーザが移動したタイミングで提供音楽決定処理を行うようにしてもよい。ユーザの移動を検出する方法としては、例えば自宅のドアや車の座席等に固定配置された無線ＩＣタグを読み取ったことや今まで読み取れていた固定配置された無線ＩＣタグが読み取れなくなったことで移動したと判定することが考えられる。また、通信部１０５が無線通信を行っている場合には、受信電波強度の変化が所定の値より大きくなったことや現在通信を行っている無線基地局とは異なる無線基地局と通信を開始したことで移動したと判定することが考えられる。あるいは、音楽提供装置にGPS受信部などの位置取得部を備え、この位置取得部により位置が変化したかどうかを検出するようにしても良い。このように予め決定処理を行っておくことにより、ユーザから音楽提供要求があってから再生を行うまでの時間を短縮することができる。
【００１５】
音楽再生部１０４は、提供音楽決定部１０３によって決定された音楽を再生する処理を行う。音楽を再生する際、音楽再生部１０４は提供音楽決定部１０３によって決定された音楽が情報格納部１０６に存在するかどうか調べる。存在しているときは情報格納部１０６に保持された音楽データの再生を行う。存在しないときは通信部１０５を介して音楽コンテンツサーバ４００から音楽のダウンロードを行い再生する。
【００１６】
なお、図２に示す例では、無線ＩＣタグ読取部１０１や、通信部１０５等が１つの筐体内に含まれているが、これに限定するものではなく、構成の一部を他の構成とは別に備えても良い。例えば、無線ＩＣタグ読取部を筐体外に１つあるいは複数備え、無線ＩＣタグ読取部により読み取った情報を筐体内の所有物判定部に送信するようにしても良い。また、情報格納部を取り外し可能な記憶媒体としても良いし、別体メモリ装置とするようにしても良い。
【００１７】
また、所有物判定部１０２および提供音楽決定部１０３は、例えば、メモリに記憶されたプログラムを実行する１つのＩＣ（Integrated circuit）により構成されても良いし、それぞれ専用のＩＣを備えても良い。プログラムを記憶するメモリは、情報格納部１０６であっても良いし、情報格納部１０６以外のメモリであっても良い。なお、このプログラムは、予め音楽提供装置に記憶してあっても良いし、通信部１０５を介して、ダウンロードするようにしても良い。
【００１８】
図３に、音楽提供装置１００が提供する音楽を決定するための処理フローの一例を示す。
【００１９】
まず、無線ＩＣタグ情報読取部１０１が読取可能なすべての無線ＩＣタグから、無線ＩＣタグに書かれた情報を読み取る処理を行う（Ｓ１００２）。そして、読取処理を所定の繰り返し回数行ったかどうか判定する（Ｓ１００４）。読取処理を所定回数行っていない場合には、所定時間後（Ｓ１００６）に再び読取処理を行う。読取処理を所定回数行ったら、無線ＩＣタグ情報読取部１０１は、無線ＩＣタグ情報および無線ＩＣタグごとの通信状態情報を示すデータを所有物判定部１０２に渡し、所有物判定部１０２は所有物情報を作成する（Ｓ１００８）。所有物判定部１０２は所有物情報を提供音楽決定部１０３に渡し、提供音楽決定部１０３は所有物情報を用いて提供する音楽を決定する（Ｓ１０１０）。なお、所有物情報の作成処理および音楽決定処理の詳細については後述する。
【００２０】
無線ＩＣタグ情報読取部１０１から所有物判定部１０２に渡されるデータの一例を図４に示す。通信状態情報は、受信電波強度として示し、電波強度が"―"となっている項目は読み取りに失敗したことを示す。本例は、図３に示す読取処理を5回行った場合のデータを示している。このように、複数の読取処理の結果が得られるため、例えば近くを通った人が所持していた等の一時的に近くにあったものか、ユーザが所持あるいはユーザの近くに設置してあるものかを識別するための情報を取得することができる。例えば、品識別情報2000500の物は、一時的にユーザの近くにあったものであり、ユーザの所持品ではないと識別するようにしても良い。但し、読取処理を複数回行うものに限定するものではなく、1回のみ読取処理を行うようにしても良い。
【００２１】
次に、所有物判定部１０２が所有物情報を作成する処理について、詳細に説明する。所有物判定部１０２は、無線ＩＣタグ情報読取部１０１から受け取った通信状態情報から無線ＩＣタグの位置を予測し、それによりユーザが身につけているものとユーザの所有物ではあるが身につけていないものを判定する。情報格納部１０６は、物識別情報や無線ＩＣタグ位置情報や通信状態情報などから、ユーザが身に着けている物やユーザの所有物ではあるが身につけていない物を判定するための所有物判定ルールを保持しており、所有物判定部１０２はこの判定ルールに従い所有物情報を作成する。
【００２２】
なお、所有物判定ルールは、条件部と帰結部の組み合わせの集合となっており、条件部に記載の条件が真となった際に、帰結部に記載の判定結果に従う。条件部に記載する条件は全読取回数に対する読取成功回数や通信状態情報を用いて指定される。例えば、ある物に対する条件として、すべての読取処理において読み取りに成功し、かつ受信電波強度の平均値が所定値以上のときに真とすることが考えられる。また、無線ＩＣタグ情報により条件を変えるようにしてもよい。このとき無線ＩＣタグ情報に対応する条件を情報格納部１０６が保持していないときは通信部１０５を介して所有物判定サーバ２００からダウンロードするようにしてもよい。または、所有物判定サーバ２００に無線ＩＣタグ情報と通信状態情報とともに所有物情報作成要求を送信し、所有物判定サーバ２００により作成された所有物情報をダウンロードするようにしてもよい。このような構成にすることにより音楽提供装置１００の処理負荷の低減と情報格納部１０６の記憶領域の節約を行うことができる。
【００２３】
帰結部に記載する判定結果としては、ある物をユーザが所有しているかどうかを判定することやある物をユーザが身につけているかどうかを判定することが挙げられる。例えば、ある物に対する判定として条件部のある項目が真となったときユーザの所有物ではあるがユーザが身に着けてはいないと判定することが考えられる。
【００２４】
以下に所有物判定ルールを用いて所有物情報を作成する具体例を挙げる。この例では、ユーザと無線ＩＣタグ情報読取部１０１の相対位置が分からない場合でも通信状態情報から無線ＩＣタグ情報読取部１０１の位置を予測し、無線ＩＣタグ情報読取部１０１の位置を参考にして、各々の物をユーザが身につけているかを判定する。ここでは、説明を簡単にするため、無線ＩＣタグ情報読取部１０１の位置情報として水平方向は考えずに地面からの高さのみを考え、無線ＩＣタグ情報読取部１０１の読取繰り返し回数を１回とする。また、無線ＩＣタグ情報はＩＤ値ｉとして表され、物識別情報と無線ＩＣタグ情報もｉに含まれているとする。また、ＩＤ値ｉの無線ＩＣタグの通信状態情報はＩＤ値ｉの無線ＩＣタグからの受信電波強度の平均値とする。
【００２５】
そして、所有物判定ルールを例えば以下の（１）（２）のように決める。
（１）ＩＤの値がｉである物の受信電波強度Ｒ（ｉ）が１００以上の物をユーザの所有物と判定する。
（２）無線ＩＣタグ情報読取部１０１の地上からの高さをｚとし、上限関数Ｕ（ｉ，ｚ）および下限関数Ｌ（ｉ，ｚ）をあらかじめ定めておく。このときＩＤの値がｉであるユーザの所有物に対し、受信電波強度Ｒ（ｉ）がＬ（ｉ，ｚ）より大きいまたは同じ値かつ受信電波強度Ｒ（ｉ）がＵ（ｉ，ｚ）より小さいまたは同じ値のときユーザが身につけていると判定する。また、もし、地上からの高さｚの値が分かっていないときは、ユーザが身に着けている物の数が最大になるようにｚを決めることとする。
【００２６】
ここで、無線ＩＣタグＩＤ値および受信電波強度が図５のようになり、無線ＩＣタグ読込部１０１の地上からの高さは分からなかったとする。このとき、まずルール（１）よりＩＤ２０５００、３０１００、９０５００に対応するの３つの物がユーザの所有物と判定される。図６にＩＤ２０５００、３０１００、９０５００のそれぞれの上限関数および下限関数を示す。ここで、地上からの高さｚを１３０にしたとき、ＩＤ２０５００、３０１００、９０５００に対応するの３つの物のとも身に着けていると判定でき、すなわち身に着けている物の数を最大化できるので、地上からの高さｚを１３０と判定し、またＩＤ２０５００、３０１００、９０５００に対応するの３つの物とも身に着けていると判定する。
【００２７】
次に、無線ＩＣタグＩＤ値および受信電波強度が図７のようになり、無線ＩＣタグ読込部１０１の地上からの高さは分からなかった場合を考える。このとき、まずルール（１）よりＩＤ２０５００、３０１００、９０５００に対応するの３つの物がユーザの所有物と判定される。図８にＩＤ２０５００、３０１００、９０５００のそれぞれの上限関数および下限関数を示す。ここで、地上からの高さｚを１３０にしたとき、ＩＤ３０１００、９０５００に対応するの２つの物を身に着けていると判定でき、このとき身に着けている物の数が最大となるので、地上からの高さｚを１３０と判定し、またＩＤ３０１００、９０５００に対応する２つの物を身に着けており、ＩＤ２０５００に対応する物は身につけていないと判定する。
【００２８】
また、所有物判定ルールを用いて所有物情報を作成する別の方法として、読取繰り返し回数に対する所有認定回数および装着認定回数を定めておき、繰り返しの読取処理において所有認定回数より多いまたは同じ回数読取に成功した物を所有物と判定し、装着認定回数より多いまたは同じ回数読取に成功した物を身につけていると判定することが考えられる。あるいは、読取処理に成功したすべてのものからユーザが所有物と身につけている物を選択するようにしても良い。
【００２９】
次に、提供音楽決定部１０３が所有物情報から提供する音楽を決定する処理について、詳細に説明する。情報格納部１０６は、所有物情報から提供音楽を決定するための音楽決定ルールを保持しており、提供音楽決定部１０３は音楽決定ルールに従いユーザに提供する音楽を決定する。
【００３０】
提供音楽決定部１０３は通信部１０５を介して音楽決定サーバ３００に保持されている音楽決定ルールをダウンロードし、それを提供音楽決定部１０３の音楽決定ルールとして使用するようにしてもよい。または、音楽決定サーバ３００に所有物情報や情報格納部１０６に保持された音楽決定ルールを送信し、音楽決定サーバ３００にて提供する音楽を決定し、提供する音楽を識別する情報をダウンロードするようにしてもよい。このような構成にすることにより、音楽提供装置１００の処理負荷の低減と情報格納部１０６の記憶領域の節約を行うことができる。
【００３１】
なお、音楽決定ルールは条件部と帰結部の組み合わせの集合となっており、条件部に記載の条件が真となった際に、帰結部に記載の音楽決定処理を行う。条件部に記載する条件は物の値段、種類、販売元、色、大きさ、製品名などの製品情報を用いて指定される。製品情報は製品の特徴を示すものであればどのような情報でもかまわない。例えば、身につけている服にＡベースボールクラブに関連するものが含まれているときに真とすることが考えられる。もし、無線ＩＣタグ情報から製品情報を割り出すことができないときは、通信部１０５を介して製品情報サーバ５００と接続し、製品情報サーバ５００に無線ＩＣタグ情報とともに詳細情報要求を送信し、製品情報サーバ５００から製品情報をダウンロードするようにしてもよい。このような構成にすることにより音楽提供装置１００の処理負荷の低減と情報格納部１０６の記憶領域の節約を行うことができる。また、条件部は製品情報以外の情報を用いて記述されてもよい。例えば、現在の天気や温度・湿度などの環境情報、季節や時刻、日付などの時刻情報、過去に音楽提供装置により提供された音楽の履歴情報、ユーザの年齢や性別などのユーザ情報、現在地情報、通信部１０５の外部機器との通信のスループットやビットエラーレートなどの通信速度情報などを用いることが考えられる。
【００３２】
帰結部に記載する音楽決定処理としては、所定の曲または所定のジャンルの曲または所定のアーティストが参加している曲に関して、再生を行うかどうかを決定することや、再生することが決定している音楽に対し再生順序を決定することが挙げられる。例えば、条件部のある条件が真となった場合、情報格納部１０６が保持していない音楽は再生しないことなどが考えられる。
【００３３】
次に、音楽提供装置１００が提供する音楽を決定する他の方法を説明する。この方法では、通信部１０５と無線基地局との通信の状態によりユーザの移動を検出し、移動の前後で読み取り成功した無線ＩＣタグに対応する物はユーザが身につけていると判定し、所有物情報を作成する。
【００３４】
図９に、上記決定処理フローの一例を示す。まず、無線ＩＣタグ情報読取部１０１は読取可能なすべての無線ＩＣタグから無線ＩＣタグに書かれた情報を読み取る処理を行い、読み取った情報を情報格納部１０６に格納する（Ｓ２００２）。Ｓ２００２の情報読取および格納処理は、例えば所定時間ごとに行うようにしても良いし、前に行われたＳ２００８の処理結果を保持するものであっても良い。
【００３５】
次に、通信部１０５が通信可能な無線基地局を判定し、通信可能なすべての無線基地局の識別情報を情報格納部１０６に格納する（Ｓ２００４）。ここで無線基地局とは、ｃｄｍａ２０００、ＥＶ−ＤＯ、Ｗ−ＣＤＭＡなどの携帯電話通信システムにおける無線基地局だけでなく、無線ＬＡＮのアクセスポイント等も含む。
【００３６】
通信部１０５は、通信可能な無線基地局が変化したかどうかを判定し、変化していない場合は繰り返し判定処理を行う（Ｓ２００６）。通信可能な無線基地局が変化した場合、無線ＩＣタグ情報読取部１０１は読取可能なすべての無線ＩＣタグから無線ＩＣタグに書かれた情報を読み取る処理を行う（Ｓ２００８）。そして、無線ＩＣタグ情報読取部１０１は（Ｓ２００２）および（Ｓ２００８）において読み取った無線ＩＣタグ情報および無線ＩＣタグごとの通信状態情報を所有物判定部１０２に渡し、所有物判定部１０２は所有物情報を作成する（Ｓ２０１０）。
【００３７】
図９に示す決定処理方法における所有物判定ルールは、例えば、Ｓ２００２およびＳ２００８の読取処理の両方で読み取りに成功した無線ＩＣタグに対応する物をユーザが身につけている物、とする。そして、所有物判定部１０２は所有物情報を提供音楽決定部１０３に渡し、提供音楽決定部１０３は所有物情報を用いて提供する音楽を決定する（Ｓ２０１２）。
【００３８】
図９に示す例では、通信部１０５の無線基地局との通信の状態によりユーザの移動を検出し、所有物情報を作成するため、所有物判定ルールにおいて通信状態情報を用いなくてもよくなるため、より簡潔な処理で提供する音楽の決定ができるようになる。
【００３９】
次に、無線ＩＣタグ読取部を別体とし、音楽提供装置本体と、無線ＩＣタグ読取部を車に搭載する場合について説明する。なお、無線ＩＣタグ読取部は１つに限られず、複数備える構成にしてもよい。例えば、車の右前、左前、右後、左後１つずつ合計４つ備えることが考えられる。この場合、タグ情報をどの無線ＩＣタグ読取部により検出したかにより、例えば、運転者の所有物であるか、助手席の所有物であるかを検出するようにしても良い。図１０に、乗客識別情報と品識別情報を含む所有物情報の例を示す。但し、これは一例であって、身につけているか否か等の他の情報を含めても良い。
【００４０】
このように、車に乗っている人全員に対し一人一人の所有物を判定するため、より状況にふさわしい音楽を提供できるようになる。また、例えば、運転手が不在の間に提供する音楽が決定されることを禁止したり、運転手の所有物情報に重みを付けて提供する音楽を決定するようにしても良い。
【００４１】
また、提供音楽決定処理を行うタイミングは車載情報機器の電源が投入されてから所定時間後としてもよいし、車載情報機器の電源投入後、無線ＩＣタグ情報読取部１０１が運転手の免許証や財布や携帯電話等の所定の物に付いている無線ＩＣタグを読み込んだ時としてもよい。また、車載情報機器の電源投入後所定時間の間に所定の物に付いている無線ＩＣタグを読み取れないときは警告音などの警告をユーザに通知するようにしてもよい。
【００４２】
また、以上の説明では、音楽提供装置本体と、無線ＩＣタグ読取部を車に搭載する場合について説明したが、これに限定するものではなく、車以外の空間に設置するようにしても良い。
【図面の簡単な説明】
【００４３】
【図１】情報提供システムの構成の一例を示す図である。
【図２】音楽提供装置の構成の一例を示すブロック図である。
【図３】音楽提供装置が提供する音楽を決定するための処理フローの一例を示す図である。
【図４】無線ＩＣタグ情報および通信状態情報を示すデータの一例を示す図である。
【図５】無線ＩＣタグ情報および受信電波強度を示すデータの一例を示す図である。
【図６】所有物判定部に保持される上限関数および下限関数の一例を示す図である。
【図７】無線ＩＣタグ情報および受信電波強度を示すデータの一例を示す図である。
【図８】所有物判定部に保持される上限関数および下限関数の一例を示す図である。
【図９】音楽提供装置が提供する音楽を決定するための処理フローの一例を示す図である。
【図１０】所有物情報の一例である。
【符号の説明】
【００４４】
１００…音楽提供装置、１０１…無線ＩＣタグ情報読取部、１０２…所有物判定部、１０３…提供音楽決定部、１０４…音楽再生部、１０５…通信部、１０６…情報格納部、２００…所有物判定サーバ、３００…音楽決定サーバ、４００…音楽コンテンツサーバ、５００…製品情報サーバ
【図１】
2007188193.tif 000003
【図２】
2007188193.tif 000004
【図３】
2007188193.tif 000005
【図４】
2007188193.tif 000006
【図５】
2007188193.tif 000007
【図６】
2007188193.tif 000008
【図７】
2007188193.tif 000009
【図８】
2007188193.tif 000010
【図９】
2007188193.tif 000011
【図１０】
2007188193.tif 000012